(57)【特許請求の範囲】
【請求項１】
電子機器であって、
電子部品が組み込まれる筐体と、
前記電子部品に固定された取り付け具と、
前記取り付け具の一側面から延在した取り付け板と、
前記筐体に設けられ、前記取り付け板が挿入されるスリットと、を有し、
前記スリットは、前記取り付け板が挿入される第１位置から前記電子部品が前記筐体に固定される第２位置まで延在し、
前記電子部品を覆うカバーを固定するためのネジがねじ込まれるネジ孔が前記取り付け板に形成され、
前記ネジ孔に整列する貫通孔が前記スリットより上方の前記筐体の一部に形成され、
前記カバーと前記筐体の一部を貫通して前記取り付け板の前記ネジ孔にネジがねじ込まれた電子機器。
【請求項２】
請求項１記載の電子機器であって、
前記電子部品が固定される位置にあるときに、前記スリットの縁部が前記取り付け板を支持する電子機器。
【請求項３】
請求項１又は２記載の電子機器であって、
前記取り付け板に突起部が形成され、前記スリットの一部は前記突起部が挿入できる幅に形成されている電子機器。
【請求項４】
請求項１乃至３のうちいずれか一項記載の電子機器であって、
前記取り付け具は、前記一側面の反対側の側面にガイドスロットを有し、
前記筐体から延在した部分に、前記ガイドスロットに係合するガイド突起が設けられた電子機器。
【請求項５】
請求項１乃至４のうちいずれか一項記載の電子機器であって、
前記取り付け板が前記第２位置にあるときに、前記電子機器のコネクタは前記筐体に設けられたコネクタに接続されている電子機器。
【発明の詳細な説明】
【技術分野】
【０００１】
実施形態は電子部品を筐体に離脱可能に装着することのできる電子機器に関する。
【背景技術】
【０００２】
電子機器には、筐体に対して離脱可能に装着する部品を有するものがある。例えば、記憶装置としてハードディスク装置を離脱可能に電子機器の筐体に装着することがある。ハードディスク装置のような記憶装置を電子部品として電子機器の筐体に取り付けて固定する構造が提案されている（例えば、特許文献１参照。）。
【先行技術文献】
【特許文献】
【０００３】
【特許文献１】特開平０４−３２４１８５号公報
【発明の概要】
【発明が解決しようとする課題】
【０００４】
特許文献１に開示されたハードディスク装置取り付け構造では、ハードディスク装置の外面が電子機器の筐体の一部となるように形成されており、ハードディスク装置を筐体に組み込んでから蓋あるいはカバーを取り付ける必要は無い。しかし、このようなハードディスク装置は汎用性が無く、特別に製造するためにハードディスク装置の製造コストが増大してしまう。また、ハードディスク装置を筐体に固定するために２本のネジを用いており、部品点数及び組立工数が増大する。
【０００５】
そこで、簡単で部品点数が少ない構成で電子部品を電子機器の筐体に組み込むことのできる構造の開発が望まれている。
【課題を解決するための手段】
【０００６】
一実施形態によれば、電子部品が組み込まれる筐体と、前記電子部品に固定された取り付け具と、前記取り付け具の一側面から延在した取り付け板と、前記筐体に設けられ、前記取り付け板が挿入されるスリットとを有し、前記スリットは、前記取り付け板が挿入される第１位置から前記電子部品が前記筐体に固定される第２位置まで延在し、前記電子部品を覆うカバーを固定するためのネジがねじ込まれるネジ孔が前記取り付け板に形成され、前記ネジ孔に整列する貫通孔が前記スリットより上方の前記筐体の一部に形成され、前記カバーと前記筐体の一部を貫通して前記取り付け板の前記ネジ孔にネジがねじ込まれた電子機器が提供される。
【発明の効果】
【０００７】
電子部品の取り付け板に形成された一つのネジ孔を用いて、カバーと取り付け板とを筐体に対してネジ締め固定することができるので、電子機器の部品点数と組み立て工数を削減することができる。
【図面の簡単な説明】
【０００８】
【図１】一実施形態によるノートパソコンの斜視図である。
【図２】ノートパソコンの底面の平面図である。
【図３】ノートパソコンの底面側からの斜視図である。
【図４】ノートパソコンの底面側からの斜視図である。
【図５】ハードディスク装置をＨＤＤ収容部内に配置するときの状態を示す斜視図である。
【図６】ハードディスク装置をＨＤＤ収容部内に配置するときの状態を示す平面図である。
【図７】図６のＶＩＩ−ＶＩＩ線に沿った断面図である。
【図８】ハードディスク装置をＨＤＤ収容部内に配置した状態を示す平面図である。
【図９】図８のＩＸ−ＩＸ線に沿った断面図である。
【図１０】ハードディスク装置のコネクタをＨＤＤ収容部のコネクタに接続した状態を示す平面図である。
【図１１】図１０のＸＩ−ＸＩ線に沿った断面図である。
【図１２】図１０のＸＩＩ−ＸＩＩ線に沿った断面図である。
【発明を実施するための形態】
【０００９】
次に、実施形態について図面を参照しながら説明する。
【００１０】
図１は一実施形態によるハードディスク装置が組み込まれた筐体を有する携帯型パーソナルコンピュータ（ノートパソコン）の斜視図である。図２は図１に示すノートパソコンの底面を示す平面図である。
【００１１】
ノートパソコン１０は、筐体１２を含む本体部１４と、本体部１４の一辺側に回動可能に取り付けられた表示パネル部１６とを有する。筐体１２は通常プラスチック部品であり、内部に回路基板、記憶装置、入出力装置などの部品が組み込まれている。ノートパソコン１０は携帯型電子機器であり、ユーザが持ち運びしやすいように小型で軽量となるように設計されている。
【００１２】
ノートパソコン１０にはハードディスク装置が組み込まれており、各種データやプログラム等が格納できるようになっている。ハードディスク装置は、筐体１２の底面１２ａに設けられたＨＤＤカバー２０を取り外すことで、ノートパソコン１０の本体１４の筐体１２に取り付けたり、筐体１２からり取り外したりすることができる。ＨＤＤカバー２０はノートパソコン１０の筐体１２の底面１２ａの一部を形成している。
【００１３】
本実施形態は上述のハードディスク装置を筐体１２に組み込んで固定するための固定構造に係わるものである。本実施形態では電子機器の一例としてノートパソコンについて説明するが、ノートパソコンに限らず様々な電子機器に適用することができる。特に、小型で持ち運び可能な携帯型電子機器に適用することで大きな効果を得ることができる。また、筐体に組み込まれて固定される電子部品はハードディスク装置に限られず、例えば、他の種類の不揮発性記憶装置であるＳＳＤ（Ｓｏｌｉｄ  Ｓｔａｔｅ  Ｄｅｖｉｃｅ）、電池パックやメモリ装置などの他の部品であってもよい。
【００１４】
なお、本実施形態では、ハードディスク装置を収容する部分に隣接して、半導体メモリ装置を収容する部分が設けられている。半導体メモリ装置を収容する部分はメモリカバー２２により覆われている。本実施形態では、メモリカバー２２を固定するためのネジを締め込むネジ孔を、ハードディスク装置の取り付け部を利用して設けている。
【００１５】
図３はノートパソコン１０の底面１２ａ側からの斜視図である。図３において、ＨＤＤカバー２０が取り外されて、ハードディスク装置３０を取り外す途中の状態が示されている。
【００１６】
ＨＤＤカバー２０は一本のネジ２４により筐体１２に取り付けられており、ネジ２４を外すだけでＨＤＤカバー２０を筐体１２から外してハードディスク装置３０を露出することができる。後述のように、ネジ２４がねじ込まれるネジ孔は、ハードディスク装置３０の外周に装着された取り付け具３２から延在する取り付け板３４に形成されている。
【００１７】
本実施形態では、メモリカバー２２を固定するためのネジ２６がねじ込まれるネジ孔も、ハードディスク装置３０の外周に装着された取り付け具３２から延在する取り付け板３４に形成されている。したがって、ハードディスク装置３０を筐体１２から取り外すには、メモリカバー２２のネジ２６も外しておく必要がある。ただし、メモリカバー２２を取り付ける必要の無い場合や、メモリ装置の収容場所がハードディスク装置３０の収容場所から離れている場合には、ハードディスク装置３０の取り付け板３４にネジ２６用のねじ孔を設ける必要は無い。
【００１８】
図４はノートパソコン１０の底面１２ａ側からの斜視図である。図４において、ハードディスク装置３０及びメモリカバー２２が完全に取り外された状態が示されている。
【００１９】
ハードディスク装置３０が収容されるＨＤＤ収容部４０の一端側には、ハードディスク装置３０とノートパソコン１０の内部の電気回路とを接続するためのコネクタ４２が配置されている。したがって、ハードディスク装置３０を取り付ける際には、ＨＤＤ収容部４０内にハードディスク装置３０を配置してから、ハードディスク装置３０をコネクタ４２に向けてスライド（移動）してハードディスク装置３０のコネクタをコネクタ４２に接続する。
【００２０】
次に、ハードディスク装置３０をノートパソコン１０の筐体１２に取り付ける動作について説明する。
【００２１】
上述のようにハードディスク装置３０を取り付けるには、ハードディスク装置３０をＨＤＤ収容部４０内に配置してから、ハードディスク装置３０のコネクタをＨＤＤ収容部４０のコネクタに接続する必要がある。ハードディスク装置３０をＨＤＤ収容部４０に配置したときに、ハードディスク装置３０のコネクタの位置がＨＤＤ収容部４０のコネクタ４２に整列するように、ハードディスク装置３０を精確に位置決めしておく必要がある。
【００２２】
本実施形態では、ハードディスク装置３０の位置決めを、ハードディスク装置３０の外周に装着された取り付け具３２から延在する取り付け板３４を利用して行なう。ＨＤＤ収容部４０の側面には、ハードディスク装置３０の側面側に延在する取り付け板３４が挿入されるスリット（横長の開口）４４が設けられている。ハードディスク装置３０をＨＤＤ収容部４０内に配置するには、最初に取り付け板３４をスリット４４に挿入しなければならない。
【００２３】
図５はハードディスク装置３０をＨＤＤ収容部４０内に配置するときの状態を示す斜視図である。図６はハードディスク装置３０をＨＤＤ収容部４０内に配置するときの状態を示す平面図である。図７は図６のＶＩＩ−ＶＩＩ線に沿った断面図である。
【００２４】
取り付け板３４には、上述のようにＨＤＤカバー２０を固定するためのネジ２４がねじ込まれるネジ孔３４ａと、メモリカバー２２を固定するためのネジ２６がねじ込まれるネジ孔３４ｂとが形成されている。ネジ孔３４ａ，３４ｂは、金属板よりなる取り付け板３４にバーリング加工を施して形成されており、図７に示すように、バーリング部が取り付け板３４の裏側に突出している。図７には現れていないが、ネジ孔３４ａ，３４ｂに対応して二つのバーリング部が近接して取り付け板３４の裏側から突出している。バーリング部は突出部の一例である。
【００２５】
一方、取り付け板３４が挿入されるスリット４４の幅は、取り付け板３４の厚みより僅かに大きい程度であり、且つ、上述の二つのバーリング部の各々が挿入可能な幅のバーリング部挿入部４４ａ，４４ｂが設けられている。したがって、ネジ孔３４ａ，３４ｂのバーリング部をスリット４４のバーリング部挿入部４４ａ，４４ｂに整列させてからでないと、取り付け板３４をスリット４４に挿入することはできない。
【００２６】
図８はハードディスク装置３０をＨＤＤ収容部４０内に配置した状態を示す平面図である。図９は図８のＩＸ−ＩＸ線に沿った断面図である。
【００２７】
取り付け板３４のネジ孔３４ａ，３４ｂのバーリング部をスリット４４のバーリング部挿入部４４ａ，４４ｂに整列させてから、取り付け板３４をスリット４４に挿入すると、図９に示すように、取り付け板３４の先端がスリット４４の突き当て部１２ｃに当たったところで、それ以上ハードディスク装置３０を移動できなくなる。ハードディスク装置３０がこの位置にあるときに、ハードディスク装置３０のコネクタとＨＤＤ収容部４０のコネクタ４２が整列した状態となる。
【００２８】
ここで、ハードディスク装置３０の高さ方向（図９における紙面上限方向）の位置は、取り付け板３４がスリット４４内に挿入されることで概ね決まる。また、ハードディスク装置３０の横方向（図８における紙面左右方向）の位置は取り付け板３４の先端がスリット４４の奥にある突き当て部１２ｂ（筐体１２の一部）に当接することで決まる。さらに、コネクタの挿入方向（図８における紙面上下方向）の位置は、取り付け板３４の二つのバーリング部がスリット４４のバーリング部挿入部４４ａ，４４ｂに整列することで決まる。
【００２９】
以上のように、ハードディスク装置３０の側部から延出する取り付け板３４を、筐体１２に設けられたスリット４４に挿入するだけで、ハードディスク装置３０をＨＤＤ収容部４０内の第１位置（コネクタが整列した位置）に配置することができる。
【００３０】
ハードディスク装置３０をＨＤＤ収容部４０内の第１位置（コネクタが整列した位置）に配置したら、続いて、ハードディスク装置３０のコネクタをＨＤＤ収容部４０のコネクタ４２に接続するために、ハードディスク装置３０をコネクタ４２の方向に移動する。ハードディスク装置３０のコネクタ４２方向への移動に伴い、取り付け板３４がスリット４４内で移動するため、移動方向はスリット４４の延在方向に制限される。
【００３１】
また、図４及び図８に示すように、ＨＤＤ収容部４０のスリット４４の反対側には、筐体１２内のシャーシ１８の一部が突出しており、このシャーシ１８の一部にガイド突起１８ａが設けられている。ガイド突起１８ａは、ハードディスク装置３０がコネクタ４２の方向に移動すると、取り付け具３２の側部に形成されたガイドスロット３２ａに係合する（図１２参照）。したがって、ハードディスク装置３０がコネクタ４２の方向に移動するときの移動方向は、ガイド突起１８ａとガイドスロット３２ａによっても制限される。
【００３２】
以上のように、ＨＤＤ収容部４４内でのハードディスク装置３０の移動は、スリット４４及びガイド突起１８ａにより案内され、ハードディスク装置３０のコネクタがＨＤＤ収容部４０のコネクタ４２に対して真っ直ぐに移動して接続される。これにより、ハードディスク装置３０のコネクタをＨＤＤ収容部４０のコネクタ４２に確実に接続することができ、接続時のコネクタの損傷等を防止することができる。
【００３３】
図１０はハードディスク装置３０のコネクタをＨＤＤ収容部４０のコネクタ４２に接続した状態を示す平面図である。図１１は図１０のＸＩ−ＸＩ線に沿った断面図である。図１２は図１０のＸＩＩ−ＸＩＩ線に沿った断面図である。
【００３４】
図１０に示すように、スリット４４の上側にはカバー載置部１２ｃ（筐体１２の一部）が延在しており、ＨＤＤカバー２０固定用のネジ２４が挿入される貫通孔２８ａ、及びメモリカバー２２固定用のネジ２６が挿入される貫通孔２８ｂが形成されている。
【００３５】
ハードディスク装置３０を移動してコネクタをＨＤＤ収容部４０のコネクタ４２に完全に接続すると、図１１に示すように、取り付け板３４のネジ孔３４ａはカバー載置部１２ｃの貫通孔２８ａに整列した状態となる。また、取り付け板３４のネジ孔３４ｂはカバー載置部１２ｃの貫通孔２８ｂに整列した状態となる。なお、このときのハードディスク装置３０の位置を第２位置とすると、スリット４４は、ハードディスク装置３０が第1位置にあるときの取り付け板３４の位置から、ハードディスク装置３０が第1位置にあるときの取り付け板３４の位置まで延在していることとなる。
【００３６】
ＨＤＤカバー２０をＨＤＤ収容部４０の上に置くと、ＨＤＤカバー２０のネジ用貫通孔がカバー載置部１２ｃの貫通孔２８ａに整列するので、ＨＤＤカバー２０のネジ用貫通孔及びカバー載置部１２ｃの貫通孔２８ａを貫通させて、ネジ２４を取り付け板３４のネジ孔３４ａにねじ込むことができる。これにより、一本のネジ２４を締めるだけで、ＨＤＤカバー２０を筐体１２に固定（結合）することができるだけでなく、ハードディスク装置３０も筐体１２に対して固定（結合）することができる。すなわち、ＨＤＤカバー２０の上からネジ２４を挿入して取り付け板３４のネジ孔３４ａにねじ込むと、取り付け板３４が上方に持ち上げられて、ＨＤＤカバー２０とカバー載置部１２ｃとが取り付け板３４とネジ２４の頭部との間に挟まれて押圧されることになる。これにより、ＨＤＤカバー２０は筐体１２の一部であるカバー載置部１２ｃに対して上から押圧されて固定され、ハードディスク装置３０の取り付け板３４もカバー載置部１２ｃに対して下から押圧されて固定される。
【００３７】
ネジ２４を締め付ける際、ネジ２４の先端を取り付け板３４のネジ孔３４ａにねじ込むためにある程度の押圧力を加える必要がある。このとき、図１１に示すように、取り付け板３４はスリット４４の縁に当接して載置された状態になっており、取り付け板３４はスリット４４の縁（筐体１２の一部）により下から支えられた状態になっている。したがって、ネジ締めの最初にネジ２４によりネジ孔３４ａに上から押圧力が加わっても、ネジ孔３４が逃げてしまうことなく、確実にネジ締めを行なうことができる。
【００３８】
ＨＤＤカバー２０の固定が終了したら、次にメモリカバー２２を筐体２２に固定する。取り付け板３４のネジ孔３４ｂはカバー載置部１２ｃの貫通孔２８ｂに整列した状態となっているので、メモリカバー２２を筐体１２に載置して、ＨＤＤカバー２０と同様に、メモリカバー２２用のネジ２６を締め付けてメモリカバー２２を固定することができる。
【００３９】
本発明は以下の事項を開示する。
（付記１）
電子機器であって、
電子部品が組み込まれる筐体と、
前記電子部品に固定された取り付け具と、
前記取り付け具の一側面から延在した取り付け板と、
前記筐体に設けられ、前記取り付け板が挿入されるスリットと、を有し
前記スリットは、前記取り付け板が挿入される第１位置から前記電子部品が前記筐体に固定される第２位置まで延在し、
前記電子部品を覆うカバーを固定するためのネジがねじ込まれるネジ孔が前記取り付け板に形成され、
前記ネジ孔に整列する貫通孔が前記スリットより上方の前記筐体の一部に形成され、
前記カバーと前記筐体の一部を貫通して前記取り付け板の前記ネジ孔にネジがねじ込まれた電子機器。
（付記２）
付記１記載の電子機器であって、
前記電子部品が固定される位置にあるときに、前記スリットの縁部が前記取り付け板を支持する電子機器。
（付記３）
付記１又は２記載の電子機器であって、
前記取り付け板に突起部が形成され、前記スリットの一部は前記突起部が挿入できる幅に形成されている電子機器。
（付記４）
付記１乃至３のうちいずれか一項記載の電子機器であって、
前記取り付け具は、前記一側面の反対側の側面にガイドスロットを有し、
前記筐体から延在した部分に、前記ガイドスロットに係合するガイド突起が設けられた電子機器。
（付記５）
付記１乃至４のうちいずれか一項記載の電子機器であって、
前記取り付け板が前記第２位置にあるときに、前記電子機器のコネクタは前記筐体に設けられたコネクタに接続されている電子機器。
（付記６）
付記１乃至５のうちいずれか一項記載の電子機器であって、
前記取り付け板に、前記ネジ孔以外の他のネジ孔が形成され、
該他のネジ孔を用いて、前記カバー以外の他のカバーがネジ締め固定された電子機器。
【符号の説明】
【００４０】
１０  ノートパソコン
１２  筐体
１２ａ  底面
１２ｂ  突き当て部
１２ｃ  カバー載置部
１４  本体
１６  表示パネル部
１８  シャーシ
１８ａ  ガイド突起
２０  ＨＤＤカバー
２２  メモリカバー
２４，２６  ネジ
２８ａ，２８ｂ  貫通孔
３０  ハードディスク装置
３２  取り付け具
３２ａ  ガイドスロット
３４  取り付け板
３４ａ，３４ｂ  ネジ孔
４０  ＨＤＤ収容部
４２  コネクタ
４４  スリット
４４ａ，４４ｂ  バーリング部挿入部
【図１】
0005779881.tif 000002
【図２】
0005779881.tif 000003
【図３】
0005779881.tif 000004
【図４】
0005779881.tif 000005
【図５】
0005779881.tif 000006
【図６】
0005779881.tif 000007
【図７】
0005779881.tif 000008
【図８】
0005779881.tif 000009
【図９】
0005779881.tif 000010
【図１０】
0005779881.tif 000011
【図１１】
0005779881.tif 000012
【図１２】
0005779881.tif 000013